(57)【要約】【課題】１つのテーマで複数の自然な会話を収録することができ、１会話当たりの人的コストを低減させる。【解決手段】二者間で会話を行う場合に、第１話者に第１話者と第２話者との会話履歴を表示し（ステップＳ１）、会話履歴に応じて第１話者が１つの発話を行い、その発話が追加された会話履歴を記録媒体に格納し（ステップＳ２）、第２話者に第１話者と第２話者との会話履歴を表示し（ステップＳ３）、会話履歴に応じて第２話者が複数の発話を行い、その発話が追加された会話履歴を会話毎に記録媒体へ格納する（ステップＳ４）。これにより、第１話者の１発話文に対して第２話者が複数発話分会話を分岐させることができる。また、会話が続く間、第１話者と第２話者へ会話履歴を表示し、第１話者と第２話者の発話を記録媒体へ記録することを繰り返す（ステップＳ５）。これにより、１会話当たりの人的コストを抑えて１つのテーマで複数の自然な会話を収録することが可能となる。【選択図】  図１
2005321694.tif 000002
【特許請求の範囲】
【請求項１】
第１話者と第２話者の会話文を収録した記憶媒体を備え、続けて該第１話者と該第２話者が会話する会話文を収録する会話文収録方法において、
該第１話者に該第１話者と該第２話者との会話履歴を会話別に表示する第１話者用会話履歴表示ステップと、
該会話履歴を見た該第１話者が発話した１つの発話文を該記憶媒体に格納する第１話者用１発話格納ステップと、
該第２話者に該第１話者と該第２話者との会話履歴を会話別に表示する第２話者用会話履歴表示ステップと、
該会話履歴を見た該第２話者が発話した複数の発話文を会話毎に記憶媒体に格納する第２話者用複数発話格納ステップとを有することを特徴とする会話文収録方法。
【請求項２】
請求項１記載の会話文収録方法において、
前記第１話者と前記第２話者の会話が続く間、前記第１話者用会話履歴表示ステップと前記第２話者用会話履歴表示ステップによる会話別の会話履歴の表示、および、該第１話者用１発話格納ステップと該第２話者用複数発話格納ステップによる会話履歴の記憶媒体への格納処理を繰り返すことを特徴とする会話文収録方法。
【請求項３】
請求項１記載の会話文収録方法において、
前記各ステップに通信ステップを加え、該通信ステップでは遠隔地にある記憶媒体と第１話者または第２話者が発話した発話文を収録する手段との間で通信することを特徴とする会話文収録方法。
【請求項４】
請求項１記載の会話文収録方法において、
前記第２話者が複数存在する場合、前記第１話者用会話履歴表示ステップに、複数の第２話者との会話履歴を会話別に表示する第１話者用複数話者別会話履歴表示ステップを設け、
前記第１話者用１発話格納ステップに、第２話者毎の会話履歴を見た該第１話者が発話した１つの発話文を第２話者毎に記憶媒体に格納する第１話者用複数話者別１発話格納ステップを設け、
前記第２話者用会話履歴表示ステップ、および、前記第２話者用複数発話格納ステップを、第２話者の人数分だけ設け、
該第１話者と該複数の第２話者の会話が続く間、該第１話者用複数話者別会話履歴表示ステップと複数の該第２話者用会話履歴表示ステップによる会話別の会話履歴の表示、および、該第１話者用複数話者別１発話格納ステップと複数の該第２話者用複数発話格納ステップによる複数の第２話者の会話履歴の記憶媒体への格納を繰り返すことを特徴とする会話文収録方法。
【請求項５】
第１話者と第２話者の会話文を収録した記憶媒体を備え、続けて該第１話者と該第２話者が会話する会話文を収録する会話文収録装置において、
該第１話者に該第１話者と該第２話者との会話履歴を会話別に表示する第１話者用会話履歴表示手段と、
該会話履歴を見た該第１話者が発話した１つの発話文を該記憶媒体に格納する第１話者用１発話格納手段と、
該第２話者に該第１話者と該第２話者との会話履歴を会話別に表示する第２話者用会話履歴表示手段と、
該会話履歴を見た該第２話者が発話した複数の発話文を会話毎に記憶媒体に格納する第２話者用複数発話格納手段とを有し、
該第１話者と該第２話者の会話が続く間、該第１話者用会話履歴表示手段と該第２話者用会話履歴表示手段による会話別の会話履歴の表示、および、該第１話者用１発話格納手段と該第２話者用複数発話格納手段による会話履歴の記憶媒体への格納を繰り返すことを特徴とする会話文収録装置。
【請求項６】
請求項５記載の会話文収録装置において、
前記各手段に通信手段を加え、該通信手段では遠隔地にある記憶媒体と第１話者または第２話者が発話した発話文を収録する手段との間で通信することを特徴とする会話文収録装置。
【請求項７】
請求項５記載の会話文収録装置において、
前記第２話者が複数存在する場合、前記第１話者用会話履歴表示手段に、複数の第２話者との会話履歴を会話別に表示する第１話者用複数話者別会話履歴表示手段を設け、
前記第１話者用１発話格納手段に、第２話者毎の会話履歴を見た該第１話者が発話した１つの発話文を第２話者毎に記憶媒体に格納する第１話者用複数話者別１発話格納手段を設け、
前記第２話者用会話履歴表示手段、および、前記第２話者用複数発話格納手段を、第２話者の人数分だけ設け、
該第１話者と該複数の第２話者の会話が続く間、該第１話者用複数話者別会話履歴表示手段と複数の該第２話者用会話履歴表示手段による会話別の会話履歴の表示、および、該第１話者用複数話者別１発話格納手段と複数の該第２話者用複数発話格納手段による複数の第２話者の会話履歴の記憶媒体への格納を繰り返すことを特徴とする会話文収録装置。
【請求項８】
第１話者と第２話者の会話文を収録した記憶媒体を備え、続けて該第１話者と該第２話者が会話する会話文を収録する会話文収録用プログラムにおいて、
コンピュータに、該第１話者に該第１話者と該第２話者との会話履歴を会話別に表示する第１話者用会話履歴表示手順、該会話履歴を見た該第１話者が発話した１つの発話文を該記憶媒体に格納する第１話者用１発話格納手順、該第２話者に該第１話者と該第２話者との会話履歴を会話別に表示する第２話者用会話履歴表示手順、該会話履歴を見た該第２話者が発話した複数の発話文を会話毎に記憶媒体に格納する第２話者用複数発話格納手順、該第１話者と該第２話者の会話が続く間、該第１話者用会話履歴表示手順と該第２話者用会話履歴表示手順による会話別の会話履歴の表示、および、該第１話者用１発話格納手順と該第２話者用複数発話格納手順による会話履歴の記憶媒体への格納を繰り返す手順を、実行させるための会話文収録用プログラム。
【請求項９】
請求項７記載の会話文収録用プログラムにおいて、
前記第２話者が複数存在する場合、前記第１話者用会話履歴表示手順に、複数の第２話者との会話履歴を会話別に表示する第１話者用複数話者別会話履歴表示手順を追加し、
前記第１話者用１発話格納手順に、第２話者毎の会話履歴を見た該第１話者が発話した１つの発話文を第２話者毎に記憶媒体に格納する第１話者用複数話者別１発話格納手順を追加し、前記第２話者用会話履歴表示手順、および、前記第２話者用複数発話格納手順を、第２話者の人数分だけ追加し、該第１話者と該複数の第２話者の会話が続く間、該第１話者用複数話者別会話履歴表示手順、複数の該第２話者用会話履歴表示手順による会話別の会話履歴の表示、および、該第１話者用複数話者別１発話格納手順と複数の該第２話者用複数発話格納手順による複数の第２話者の会話履歴の記憶媒体への格納を繰り返す手順を実行させるための会話文収録用プログラム。
【発明の詳細な説明】
【技術分野】
【０００１】
本発明は、会話文の収集方法とその装置とそのプログラムに関し、特に、二者間の会話文を収集し、収集した会話文をＦＤやハードディスクなどの記録媒体に格納するための会話文収録方法およびそれに使用する収録装置、ならびにそのプログラムに関する。
【背景技術】
【０００２】
会話を収集する装置としては、テープレコーダが用いられ、それらを収録するものとして、磁気ディスク・ファイルや光ディスク・ファイルに格納する方法が行われている。
二者間での会話文を収集する場合、予め与えられたシナリオに沿って二者が会話を進め、それを第三者または二者のうちの一方ないし両方が記録する方法や、二者に会話のテーマを与えて、それについて自由に発話させて、第三者または二者のうちの一方ないし両方が記録する方法などが知られている。
【０００３】
上記の従来の会話文収録方法のうち、前者はシナリオに沿って会話を進めるので、会話の自然さが損なわれる。また、後者は１つのテーマで１会話しか収録することができないため、複数の会話を収録する場合には、１会話当たりの人的コストが高い。
【０００４】
Ｗｅｂで提供されている情報としては、ｈｔｔｐ：／／ｗｗｗ．ｎｔｔ．ｃｏ．ｊｐ／ｃｃｌａｂ／ｐａｍｐｈ／ｃｏｍｉｃｏｌｌａ／ｉｎｄｅｘ．ｈｔｍｌ（非特許文献１参照）がある。
上記Ｗｅｂページには、デジタルパンフレットが記載され、コミュニティコラポレーションとして、時間・空間や情報量の制約を越えて、新しいコミュニティ世界の創造のため、光ブロードバンドネットワーク対応のＭＰＥＧ−２、リアルタイムソフトウェアＣＯＤＥＣ［ＲＩＳＣＡ］、コミュニティコラボレーション環境［ＮｅｔＯｆｆｉｃｅＨＩＫＡＲＩ２］、自由発話音声認識技術、スケーラブル音声・楽音符号化、眼鏡なし３Ｄディスプレイ、および、同期型／非同期型描画システム［ＣｏＣｏＢｏａｒｄ／ＣｏＣｏＦｏｌｉｏ］などが開示されている。
【０００５】
【非特許文献１】インターネット〈ＵＲＬ：ｈｔｔｐ：／／ｗｗｗ．ｎｔｔ．ｃｏ．ｊｐ／ｃｃｌａｂ／ｐａｍｐｈ／ｃｏｍｉｃｏｌｌａ／ｉｎｄｅｘ．ｈｔｍｌ〉
【発明の開示】
【発明が解決しようとする課題】
【０００６】
このように、従来の会話収集方法のうち、シナリオに沿って二者が会話を進める方法は、会話の自然さが損われてしまうこと、また、二者に会話のテーマを与えて自由に会話させる方法は、１つのテーマで１会話しか収録できないため、複数会話を収録する場合には１会話当たりの人的コストが高くなること、等の問題点があった。
【０００７】
（目的）
本発明の目的は、これら従来の問題点を解消し、１つのテーマで複数の自然な会話を収録することができ、１会話当たりの人的コストを低減させることが可能な会話文収録方法および装置、ならびにそのプログラムを提供することにある。
【課題を解決するための手段】
【０００８】
本発明の会話文収録方法は、第１話者の１つの発話に対して第２話者が予めシナリオを決めることなく、複数の発話をするものである。すなわち、
（Ａ）二者間で会話を行う場合に、第１話者に第１話者と第２話者との会話履歴を表示し、会話履歴に応じて第１話者が１つの発話を行い、その発話が追加された会話履歴を記録媒体に格納し、第２話者に第１話者と第２話者との会話履歴を表示し、会話履歴に応じて第２話者が複数の発話を行い、その発話が追加された会話履歴を会話毎に記録媒体へ格納する。これにより、第１話者の１発話文に対して第２話者が複数発話分の会話を分岐させることができる（以上、請求項１参照）。
（Ｂ）そして、上記第１話者と第２話者との間で会話が続く間、第１話者と第２話者へ会話履歴を表示し、及び、第１話者と第２話者の発話を記録媒体へ記録することを繰り返す。
これにより、第１話者と第２話者の会話が収録でき、１会話当たりの人的コストを抑えて、１つのテーマで複数の自然な会話を収録することができる（以上、請求項２参照）。
【０００９】
（Ｃ）また、第１話者と第２話者の会話文を収録する装置において、前記（Ａ）に記載した第１話者に会話履歴を表示するステップ、前記第１話者の発話を格納するステップ、前記第２話者に会話履歴を表示するステップ、および、前記第２話者の発話を格納するステップにおいて、遠隔地にある記憶媒体と通信するステップを含むことにより、第１話者と第２話者が離れていても第１話者と第２話者の会話を収録することができるようにする（以上、請求項３参照）。
【００１０】
（Ｄ）また、第１話者と第２話者の会話文を収録する装置において、前記第１話者に会話履歴を表示するステップには、複数の第２話者との会話履歴を表示するステップを含み、前記第１話者の発話を格納するステップには、第２話者毎の会話履歴を見て第１話者が発話した１つの発話文を第２話者毎に記録媒体へ格納するステップを含み、前記第２話者に会話履歴を表示するステップと前記第２話者の発話を格納するステップを第２話者の人数分だけ実行し、会話が続く間、会話文収録を繰り返すことにより、第２話者が複数人いても第１話者とそれぞれの第２話者との会話を収録することができるようにする（以上、請求項４参照）。
【発明の効果】
【００１１】
本発明によれば、第１話者の１つの発話に対して第２話者が予めシナリオを決めることなく複数の発話をすることにより、１つのテーマで複数の自然な会話を収録することができ、その結果、１会話当たりの人的コストを低減することが可能となる。
また、第１話者と第２話者とが離れていても、第１話者と第２話者の会話を収録することが可能である。
また、第２話者が複数人いても、第１話者とそれぞれの第２話者との会話を収録することが可能である。
収録された会話は、例えば、二者間での自然な会話の発話分析に用いたり、あるいは、機械と人間との対話システム作成用のデータとして利用することが可能である。
【発明を実施するための最良の形態】
【００１２】
（原理説明）
図１は、本発明による会話文収録方法の原理の説明図である。
図１において、第１話者と第２話者の会話文を収録する装置において、第１話者に第１話者と第２話者との会話履歴を表示し（ステップ１）、その会話履歴に応じて第１話者が１つの発話を行い、その発話が追加された会話履歴を記録媒体に格納し（ステップ２）、第２話者に第１話者と第２話者との会話履歴を表示し（ステップ３）、会話履歴に応じて第２話者が複数の発話を行い、その発話が追加された会話履歴を会話毎に記憶媒体へ格納する（ステップ４）。そして、会話が続く間、ステップ１からステップ４まで会話収録を繰り返す（ステップ５）。
【００１３】
また、本発明では、第１話者と第２話者の会話文を収録する装置において、図１に示したように、前記第１話者に会話履歴を表示するステップ１、前記第１話者の発話を格納するステップ２、前記第２話者に会話履歴を表示するステップ３、および、前記第２話者の発話を格納するステップ４では、遠隔地にある記憶媒体と通信するステップを含む。
また、本発明では、第１話者と第２話者の会話文を収録する装置において、図１に示したように、前記第１話者に会話履歴を表示するステップ１では、複数の第２話者との会話履歴を表示するステップを含み、前記第１話者の発話を格納するステップ２では、第２話者毎の会話履歴を見て第１話者が発話した１つの発話文を第２話者毎に記憶媒体へ格納するステップを含み、前記第２話者に会話履歴を表示するステップ３と前記第２話者の発話を格納するステップ４を、第２話者の人数分だけ実行し、会話が続く間、会話文収録を繰り返す。
【００１４】
（原理構成）
図２は、本発明による会話文収録装置の原理構成図である。
図２に示すように、本発明の会話文収録装置は、第１話者に第１話者と第２話者との会話履歴を表示する第１話者用会話履歴表示手段１１と、会話履歴に応じて第１話者が１つの発話を行い、その発話が追加された会話履歴を記憶媒体に格納する第１話者用１発話格納手段１２と、第２話者に第１話者と第２話者との会話履歴を表示する第２話者用会話履歴表示手段２１と、会話履歴に応じて第２話者が複数の発話を行い、その発話が追加された会話履歴を会話毎に記憶媒体へ格納する第２話者用複数発話格納手段２２と、会話別会話履歴が格納される記憶装置４とを含む。
【００１５】
また、本発明の会話文収録装置は、第１話者用会話履歴表示手段１１、第１話者用１発話格納手段１２、第２話者用会話履歴表示手段２１、および、第２話者用複数発話格納手段２２の他にも、遠隔地にある記憶装置４がこれらの手段１１〜２２と通信を行うための通信手段５を含む。
また、第１話者用会話履歴表示手段１１には、複数の第２話者との会話履歴を表示する第１話者用複数話者別会話履歴表示部を含み、第１話者用１発話格納手段１２には、第２話者毎の会話履歴を見て第１話者が発話した１つの発話文を第２話者毎に記憶媒体へ格納する第１話者用複数話者別１発話格納部を含み、第２話者用会話履歴表示手段２１と第２話者用複数発話格納手段２２を第２話者の人数分だけ同じ手段（例えば、３人の場合は第２話者Ａ用会話履歴表示部、第２話者Ａ用複数発話格納部、第２話者Ｂ用会話履歴表示部、および、第２話者Ｂ用複数発話格納部）を含む。
【００１６】
（作用）
上述のように、本発明においては、第１話者用会話履歴表示手段１１で第１話者に第１話者と第２話者との会話履歴を表示し、第１話者用１発話格納手段１２で会話履歴に応じて第１話者が発話した１発話文を記憶装置４に格納し、第２話者用会話履歴表示手段２１で第２話者に第１話者と第２話者との会話履歴を表示し、第２話者用複数発話格納手段２２で会話履歴に応じて第２話者が発話した複数発話を記憶装置４に格納する。これにより、第１話者の１発話文に対して第２話者が複数発話分会話を分岐させることができる。
また、上記第１話者と上記第２話者とで会話が続く間、発話文を格納し続ける。これにより、１会話当たりの人的コストを抑えて１つのテーマで複数の自然な会話を収録することが可能となる。
【００１７】
また、通信手段５により、第１話者用会話履歴表示手段１１、第１話者用１発話格納手段１２、第２話者用会話履歴表示手段２１、および、第２話者用複数発話格納手段２２と、遠隔地にある記憶装置４とが通信を行う。これにより、発話者が遠隔地にいても、会話文を収録することが可能となる。
また、第１話者に第１話者と複数の第２話者との会話履歴を表示する第１話者複数話者別会話履歴表示部、第１話者に第２話者毎の会話履歴を見て第１話者が発話した１つの発話文を第２話者毎に記憶媒体へ格納する第１話者用複数話者別１発話格納部、複数の第２話者用会話履歴表示部、および、複数の第２話者用複数発話格納部の設置により、第１話者と複数のペアで会話文を収録する。これにより、より多くの自然な会話文が効率的に収録することができる。
従って、上述の方法を全て実行するとともに、上記手段を用いることにより、二者間の自然な会話をより多く効率的に得ることができる会話文収録が可能となる。
なお、会話文収録方法について述べたが、これは会話文収録装置についても同様である。
【００１８】
（実施例）
図３は、本発明の一実施例に係る会話収録装置の基本ブロック構成図である。
図３に示すように、本会話収録装置は、第１話者インターフェース部１、第２話者Ａ用インターフェース部２、第２話者Ｂ用インターフェース部３、会話別会話履歴を記憶する記憶装置４、および通信部５から構成される。
第１話者インターフェース部１は、複数の第２話者（この例では２人、すなわち、第２話者Ａと第２話者Ｂ）と第１話者との会話履歴を表示する第１話者用複数話者別会話履歴表示部１１１、複数の第２話者毎（この例では、第２話者Ａと第２話者Ｂ）の会話履歴を見て第１話者が発話した１つの発話文を第２話者毎に記憶媒体へ格納する第１話者用複数話者別１発話格納部１２１から構成される。
【００１９】
第２話者Ａ用インターフェース部２は、第２話者Ａに第１話者と第２話者Ａとの会話履歴を表示する第２話者Ａ用会話履歴表示部２１、会話履歴に応じて第２話者Ａが複数の発話を行い、その発話が追加された会話履歴を会話毎に記憶媒体へ格納する第２話者Ａ用複数発話格納部２２から構成される。
第２話者Ｂ用インターフェース部３は、第２話者Ａ用インターフェース部２と同じ機能を持ち、第２話者Ｂに第１話者と第２話者Ｂとの会話履歴を表示する第２話者Ｂ用会話履歴表示部３１、会話履歴に応じて第２話者Ｂが複数の発話を行い、その発話が追加された会話履歴を会話毎に記憶媒体へ格納する第２話者Ｂ用複数発話格納部３２から構成される。
記憶装置４は、会話毎に会話履歴が格納される。
通信部５は、記憶装置４に格納された会話履歴を第１話者や複数の第２話者（この例では、第２話者Ａと第２話者Ｂ）へ送る。また、逆に、話者によって発話された発話文を記憶装置４に格納する。
【００２０】
図４は、本発明の一実施例に係る第１話者の会話収録のフローチャートであり、図５は本発明の一実施例に係る第２話者Ａが行う会話収録のフローチャートである。
以下、第２話者Ａが第１話者の発話文に対して２発話行う場合の動作を説明する。
図４のステップ１０１では、第１話者用インターフェース部１が複数話者毎に通信部５によって記憶装置４から会話別会話履歴を取得する。このステップ１０１では、会話履歴がなければ何もしない。
ステップ１０２では、第１話者用複数話者別会話履歴表示部１１１によってステップ１０１で取得した会話履歴を会話毎に第１話者に表示する。このステップ１０２でも、取得された会話履歴がなければ何も表示しない。
ステップ１０３では、会話履歴に応じて第１話者が１つの発話を行い、第１話者用複数話者別１発話格納部１２１と通信部５によって、記憶装置４に格納されている会話別会話履歴を更新する。
【００２１】
会話履歴がない場合、第１話者は、テーマがあればそのテーマに関連した１つを発話する。例えば、予めテーマが『料理』であった場合、図７に示すように、第１話者が『タイ料理が好きです。』と発話したとする。発話は、例えば、音声認識装置を使用することや、キーボードをタイプして直接入力するなどで、発話格納部に入力することが考えられる。
この結果、第１話者用複数話者別１発話格納部１２１と通信部５により、この発話が記憶装置４に格納される。
図４のステップ１０４では、他の発話者毎に会話が終了したか否かを判断する。他の発話者により終了されていれば、ｙｅｓが選択され、その発話者との会話は終了する。一方、終了されていなければｎｏが選択され、ステップ１０５へ進む。他の発話者の会話の終了通知は、例えば、通信部５により行われる。上記の例では、未だ第２話者Ａ、第２話者Ｂとも発話が始まっていないので、発話待ちの状態となる。これは、例えば、通信部５に電子メールなどの通知機能を持たせることにより、第２話者Ａまたは第２話者Ｂからの応答を、この電子メールにより知ることができる。
【００２２】
図５のステップ２０１では、第１話者によって会話が終了されたか否かを判断する。終了されていればｙｅｓが選択され、第１話者と第２話者Ａとの会話は終了する。一方、終了されていなければｎｏが選択され、ステップ２０２に進む。上記の例では、第１話者が会話を開始したところであるので、ｎｏが選択され、ステップ２０２に進む。
ステップ２０２では、第２話者Ａの会話が続くか否かを判断する。続かない場合ｎｏが選択され、第２話者Ａの発話は終了する。続く場合にはｙｅｓが選択され、ステップ２０３に進む。この終了の判断は第２話者Ａ自身によりなされたり、規定の発話数を超えたなら会話を終了するなどが考えられる。上記の例では、会話は始まっていないため、ｙｅｓが選択され、ステップ２０３に進む。
【００２３】
ステップ２０３では、第２話者Ａ用インターフェース部２が通信部５により記憶装置４から会話別会話履歴を取得する。上記の例では、記憶装置４に第１話者の発話『タイ料理が好きです。』が格納されているので、この会話が取得される。
ステップ２０４では、第２話者Ａ用会話履歴表示部２１によりステップ２０３で取得した会話履歴を会話毎に第２話者Ａに表示される。上記の例では、『タイ料理が好きです。』が表示される。
ステップ２０５では、会話履歴にある第１話者の最後の発話に対して第２話者Ａが複数の発話を行い、第２話者Ａ用複数発話格納部２２と通信部５により記憶装置４に格納されている会話別会話履歴を更新する。
【００２４】
上記の例では、会話履歴にある第１話者の最後の発話『タイ料理が好きです。』に対して、第２話者Ａが２つの発話を行う。例えば、図７に示すように、第２話者Ａが『おいしいタイ料理のお店を知っていますか？』を発話したとする。また、上記『タイ料理が好きです。』に対して、第２話者Ａが上記発話と同時に、あるいは別の時間に『お薦めのタイ料理は何ですか？』を発話したとする。この結果、通信部５により、図１０に示す会話別会話履歴（会話１と会話２）が記憶装置４に格納される。
図５のステップ２０６では、会話毎に次の第１話者からの発話を待機し、第１話者より何か応答があったならば、ステップ２０１へ進む。
上記の例では、図４に示すステップ１０４で第１話者が第２話者Ａまたは第２話者Ｂの発話待ちをしているので、次に図４のステップ１０４より説明する。
【００２５】
ステップ１０４では、第２話者Ａにより会話が終了されず、２つの発話がなされているので、第２話者Ａに関してはｎｏが選択され、ステップ１０５へ進む。
ステップ１０５では、第１話者と第２話者Ａの会話が続くか否かを判断する。続かない場合にはｎｏが選択され、第２話者Ａとの会話は終了する。続く場合にはｙｅｓが選択され、ステップ１０１へ進む。この終了判断は、第１話者自身によりなされたり、規定の発話数を超えたならば会話を終了するなどが考えられる。上記の例では、第１話者が会話を続けることとし、ｙｅｓが選択され、ステップ１０１へ進む。
【００２６】
ステップ１０１では、記憶装置４に格納されている会話別会話履歴を通信部５によって取得する。上記の例では、図１０に示す会話別会話履歴（会話１と会話２）が取得される。
ステップ１０２では、ステップ１０１で取得された会話履歴を会話毎に第１話者に表示する。
上記の例では、図１０に示される会話１と会話２の会話履歴を表示する。
ステップ１０３では、会話履歴に応じて第１話者が１つの発話を行い、その発話を会話履歴に追加して、通信部５によって記憶装置４に格納する。上記の例では、第１話者が、会話１の会話履歴に対して図８に示す『東京に良いお店があります。』を、また、会話２の会話履歴に対して図９に示す『タイカレーはいいですよ。』を発話したとする。この結果、これらの発話が会話履歴に追加され、図１１に示す２つの会話履歴が通信部５によって記憶装置４に格納される。この例では、２つの会話に対して、第１話者が直ちに発話をしているが、会話毎に時間を置いて発話を行うことも考えられる。
【００２７】
ステップ１０４では、他の発話者毎に会話が終了したか否かを判断する。上記例では、２つの会話履歴に対して第１話者が発話したところであるので、第２話者Ａまたは第２話者Ｂからの応答待ちとなる。
上記の例では、第２話者Ａが図５に示すステップ２０６で、第１話者の応答待ちとなっているので、次にステップ２０６より説明をする。
ステップ２０６では、第１話者の発話を待機するだけであるので、第１話者からの応答があると、ステップ２０１に進む。
ステップ２０１では、第１話者によって会話が終了されたか否かを判断する。上記の例では、第２話者Ａに対して第１話者は会話を続けているのでｎｏが選択され、ステップ２０２へ進む。
【００２８】
ステップ２０３では、記憶装置４に格納されている会話別会話履歴を通信部５により取得する。上記の例では、図１１に示される会話１と会話２の会話履歴が取得される。
ステップ２０４では、ステップ２０３で取得された会話履歴を会話毎に第２話者Ａに表示する。上記の例では、図１１に示される会話履歴（会話１と会話２）を表示する。
ステップ２０５では、会話履歴に応じて第２話者Ａが複数の発話を行い、その発話を会話履歴に追加して、通信部５によって記憶装置４に格納する。上記の例では、図１１に示される会話１と会話２に応じて、続きの２つの発話を行う。例えば、図１１の会話１の会話履歴に続いて、図８に示すように、第２話者Ａが『東京のどこにありますか？』と『大阪にはありませんか？』を発話したとする。また、図１１の会話２の会話履歴に続いて、図９に示すように、第２話者Ａが『タイでもカレーがお薦めですか？』と『他にはありませんか？』を発話したとする。この結果、通信部５によって図１２に示す会話別会話履歴（会話１−１、会話１−２、会話２−１、会話２−２）が記憶装置４に格納される。
【００２９】
以上のように、会話が続く間、記憶装置４には会話毎に会話履歴が格納され続ける。会話収録は次の手順で終了する。第１話者側が図４のステップ１０５で終了を判断し（ｎｏが選択され）、第２話者Ａ側の図５のステップ２０１でｙｅｓが選択される、または、第２話者Ａ側が図５のステップ２０２で終了を判断し（ｎｏが選択され）、第１話者側の図４のステップ１０４でｙｅｓが選択される。
【００３０】
図６は、本発明の一実施例に係る会話文収録方法の第２話者Ｂの会話収録フローチャートである。
第２話者Ｂについては、第２話者Ａとは関係なく、図６のフローに沿って、第１話者との会話が収録される。第１話者は、上記の例の第１話者と同じ図１３（図７）に示す『タイ料理が好きです。』と発話したところから、図６のフローに基づいて、以下、第２話者Ｂと第１発話の会話収録例を説明する。上記の第１話者と第２話者Ａの例と同様に、第２話者Ｂが第１話者の発話文に対して２発話行うこととする。
図６のステップ３０１では、第１話者によって会話が終了されたか否か判断する。終了されていればｙｅｓが選択され、第１話者と第２話者Ｂとの会話は終了する。終了されていなければｎｏが選択され、ステップ３０２に進む。上記の例では、第１話者が図１３に示す『タイ料理が好きです。』を発話したところであるため、ｎｏが選択され、ステップ３０２に進む。
【００３１】
ステップ３０２では、第２話者Ｂの会話が続くか否か判断する。続かない場合にはｎｏが選択され、第２話者Ｂの発話は終了する。続く場合にはｙｅｓが選択され、ステップ３０３へ進む。この終了判断は、第２話者Ｂ自身によって行われたり、規定の発話数を超えたなら会話を終了する、などが考えられる。上記の例では、第２話者Ｂの発話が始まっていないので、ｙｅｓが選択され、ステップ３０３へ進む。
ステップ３０３では、第２話者Ｂ用インターフェース部３が通信部５により記憶装置４から会話別会話履歴を取得する。上記の例では、記憶装置４に第１話者の発話『タイ料理が好きです。』が格納されているので、この会話が取得される。ここで、もし第２話者Ａとの会話履歴が記憶装置４に格納されていても、第２話者Ａと第２話者Ｂとは関係ないので、第２話者Ａとの会話履歴は取得されない。
【００３２】
ステップ３０４では、第２話者Ｂ用会話履歴表示部３１により、ステップ３０３で取得した会話履歴を会話毎に第２話者Ｂに表示される。上記の例では、『タイの料理が好きです。』が表示される。
ステップ３０５では、会話履歴にある第１話者の最後の発話に対して第２話者Ｂが複数の発話を行い、第２話者Ｂ用複数発話格納部３２と通信部５によって記憶装置４に格納されている会話別会話履歴を更新する。上記の例では、会話履歴にある第１話者の最後の発話『タイの料理が好きです。』に対して、第２話者Ｂが２つの発話を行う。例えば、図１３に示すように、第２話者Ｂが『タイに行ったことがあるのですか？』と『タイ料理特有の食材は何ですか？』を発話したとする。この結果、通信部５によって図１４に示す会話別会話履歴（会話３と会話４）が記憶装置４に格納される。
【００３３】
ステップ３０６では、会話毎に次の第１話者からの発話を待機し、第１話者より何か応答があったならば、ステップ３０１に進む。
以上のように、第２話者Ｂに関しても、第１話者と会話が続く間、記憶装置４には会話毎に会話履歴が格納され続ける。会話収録は、第２話者Ａと第１話者の会話収録とは関係なく、次の手順で終了する。第１話者側が図４のステップ１０５で終了を判断し（ｎｏが選択され）、第２話者Ｂ側の図６のステップ３０１でｙｅｓが選択される、または、第２話者Ｂ側の図６のステップ３０２で終了を判断し（ｎｏが選択され）、第１話者側の図４のステップ１０４でｙｅｓが選択される。
なお、上記の例では、第１話者、第２話者Ａ、第２話者Ｂの３人（第１話者と２組）であるが、この例に限定されることなく、同様に第２話者Ｃや第２話者Ｄなど、第１話者と会話する人を増加することは可能である。また、上記の例では、図３に示す構成図に基づいて説明したが、この例に限定されることなく、特許請求の範囲内で種々の変更や応用が可能である。
【００３４】
図１、図４、図５および図６の各フローチャートの各ステップをプログラム化し、完成したプログラムをハードディスクなどの記録媒体に格納して、該記録媒体を図２あるいは図３に示す各手段を内蔵するコンピュータに装着し、該記録媒体から該コンピュータにインストールしてプログラムを実行させることにより、本発明を容易に実現することが可能である。
【図面の簡単な説明】
【００３５】
【図１】本発明の会話文収録装置の原理を示す図である。
【図２】本発明の会話文収録装置の原理構成図である。
【図３】本発明の一実施例に係る会話文収録装置の基本ブロック構成図である。
【図４】本発明の一実施例に係る第１話者の会話収録フローチャートである。
【図５】本発明の一実施例に係る第２話者Ａの会話収録フローチャートである。
【図６】本発明の一実施例に係る第２話者Ｂの会話収録フローチャートである。
【図７】本発明の一実施例に係る第１話者と第２話者Ａの発話例（１）を示す図である。
【図８】本発明の一実施例に係る第１話者と第２話者Ａの発話例（２）を示す図である。
【図９】本発明の一実施例に係る第１話者と第２話者Ａの発話例（３）を示す図である。
【図１０】本発明の一実施例に係る第１話者と第２話者Ａの会話毎の会話履歴例（１）の図である。
【図１１】本発明の一実施例に係る第１話者と第２話者Ａの会話毎の会話履歴例（２）の図である。
【図１２】本発明の一実施例に係る第１話者と第２話者Ａの会話毎の会話履歴例（３）の図である。
【図１３】本発明の一実施例に係る第１話者と第２話者Ｂの発話例を示す図である。
【図１４】本発明の一実施例に係る第１話者と第２話者Ｂの会話毎の会話履歴例の図である。
【符号の説明】
【００３６】
１…第１話者用インターフェース部、１１…第１話者用会話履歴表示手段、
１１１…第１話者用複数話者別会話履歴表示部、１２…第１話者用１発話格納手段、
１２１…第１話者用複数話者別１発話格納部、２…第２話者Ａ用インターフェース部、
２１…第２話者用会話履歴表示手段、第２話者Ａ用会話履歴表示部、
２２…第２話者用複数発話格納手段、第２話者Ａ用複数発話格納部、
３…第２話者Ｂ用インターフェース部、３１…第２話者Ｂ用会話履歴表示部、
３２…第２話者Ｂ用複数発話格納部、４…会話別会話履歴記憶装置、５…通信部。
【図１】
2005321694.tif 000003
【図２】
2005321694.tif 000004
【図３】
2005321694.tif 000005
【図４】
2005321694.tif 000006
【図５】
2005321694.tif 000007
【図６】
2005321694.tif 000008
【図７】
2005321694.tif 000009
【図８】
2005321694.tif 000010
【図９】
2005321694.tif 000011
【図１０】
2005321694.tif 000012
【図１１】
2005321694.tif 000013
【図１２】
2005321694.tif 000014
【図１３】
2005321694.tif 000015
【図１４】
2005321694.tif 000016